(57)【要約】送信機から受信機へと情報が転送されうる。しかしながら、この送信は、貴重なリソースを浪費しうる。したがって、送信が試みられた回数が追跡され、閾値と比較される。この比較に基づいて、送信があまりに多く生じた場合、リセットがなされる。この追跡は、リセットがなされるかを判定するために、プロトコル・データ・ユニットおよび／または制御プロトコル・データ・ユニットのためになされうる。
2010530189.tif 000002
【特許請求の範囲】
【請求項１】
正しくなされた制御プロトコル・データ・ユニット送信を追跡する方法であって、
制御プロトコル・データ・ユニットの送信を識別することと、
前記制御プロトコル・データ・ユニットの識別された送信に対して直接的に関連している場合、カウンタをインクリメントすることと
を備える方法。
【請求項２】
前記送信が正しくなされたかを判定することをさらに備える請求項１に記載の方法。
【請求項３】
インクリメント後に前記カウンタを閾値レベルと比較することをさらに備える請求項２に記載の方法。
【請求項４】
前記閾値の前記カウンタとの比較結果に基づいて、リセットをトリガすることをさらに備える請求項３に記載の方法。
【請求項５】
前記トリガをさせる結果は、前記閾値とカウンタとが等しい場合、あるいは、前記カウンタが、前記閾値を越える場合である請求項４に記載の方法。
【請求項６】
前記カウンタは、前記制御プロトコル・データ・ユニットおよび関連するプロトコル・データ・ユニットのために機能する請求項４に記載の方法。
【請求項７】
前記カウンタは、制御プロトコル・データ・ユニット特有のカウンタである請求項４に記載の方法。
【請求項８】
前記閾値を確立することをさらに備える請求項４に記載の方法。
【請求項９】
前記リセットがトリガされると、前記カウンタを基準値にリセットすることをさらに備える請求項４に記載の方法。
【請求項１０】
前記送信が転送されるモジュールからの応答を要求することをさらに備え、
前記応答は、前記送信が正しくなされたかを判定する際に使用される請求項２に記載の方法。
【請求項１１】
無線通信装置であって、
制御プロトコル・データ・ユニットの送信を識別するレコグナイザと、
前記制御プロトコル・データ・ユニットの識別された送信に対して直接的に関連している場合、カウンタをインクリメントするアグリゲータと
を備える無線通信装置。
【請求項１２】
前記送信が正しくなされたかを判定するエバリュエータをさらに備える請求項１１に記載の装置。
【請求項１３】
インクリメント後にカウンタを閾値レベルと比較するバランサをさらに備える請求項１２に記載の装置。
【請求項１４】
前記閾値の前記カウンタに対する比較の結果に基づいてリセットをトリガするセッタをさらに備える請求項１３に記載の装置。
【請求項１５】
前記セッタをトリガさせる結果は、前記閾値が前記カウンタと等しい場合、あるいは、前記カウンタが前記閾値を越える場合である請求項１４に記載の装置。
【請求項１６】
前記カウンタは、前記制御プロトコル・データ・ユニットおよび関連するプロトコル・データ・ユニットのために機能する請求項１４に記載の装置。
【請求項１７】
前記カウンタは、制御プロトコル・データ・ユニット特有のカウンタである請求項１４に記載の装置。
【請求項１８】
前記閾値を確立する計算機をさらに備える請求項１４に記載の装置。
【請求項１９】
前記リセットがトリガされると、前記カウンタを基準値にリセットするコントローラをさらに備える請求項１４に記載の装置。
【請求項２０】
前記送信が転送されたモジュールからの応答を要求するコミュニケータをさらに備え、
前記応答は、前記送信が正しくなされたかを判定する際に使用される請求項１２に記載の装置。
【請求項２１】
無線通信装置であって、
制御プロトコル・データ・ユニットの送信を識別する手段と、
前記制御プロトコル・データ・ユニットの識別された送信に対して直接的に関連している場合、カウンタをインクリメントする手段と
を備える無線通信装置。
【請求項２２】
前記送信が正しくなされたかを判定する手段をさらに備える請求項２１に記載の装置。
【請求項２３】
インクリメント後に前記カウンタを閾値レベルと比較する手段をさらに備える請求項２２に記載の装置。
【請求項２４】
前記閾値の前記カウンタに対する比較の結果に基づいてリセットをトリガする手段をさらに備える請求項２３に記載の装置。
【請求項２５】
前記トリガする手段に関する動作をさせる結果は、前記閾値が前記カウンタと等しい場合、あるいは、前記カウンタが前記閾値を越える場合である請求項２４に記載の装置。
【請求項２６】
前記カウンタは、前記制御プロトコル・データ・ユニットおよび関連するプロトコル・データ・ユニットのために機能する請求項２４に記載の装置。
【請求項２７】
前記カウンタは、制御プロトコル・データ・ユニット特有のカウンタである請求項２４に記載の装置。
【請求項２８】
前記閾値を確立する手段をさらに備える請求項２４に記載の装置。
【請求項２９】
前記リセットがトリガされると、前記カウンタを基準値にリセットする手段をさらに備える請求項２４に記載の装置。
【請求項３０】
前記送信が転送されたモジュールからの応答を要求する手段をさらに備え、
前記応答は、送信が正しくなされたかを判定する際に使用される請求項２２に記載の装置。
【請求項３１】
機械実行可能命令群を格納した機械読取可能媒体であって、
前記機械実行可能命令群は、
制御プロトコル・データ・ユニットの送信を識別することと、
前記制御プロトコル・データ・ユニットの識別された送信に対して直接的に関連している場合、カウンタをインクリメントすることと
を備える機械読取可能媒体。
【請求項３２】
前記送信が正しくなされたかを判定するための命令群をさらに備える請求項３１に記載の機械読取可能媒体。
【請求項３３】
インクリメント後に前記カウンタを閾値レベルと比較するための命令群をさらに備える請求項３２に記載の機械読取可能媒体。
【請求項３４】
前記閾値を前記カウンタと比較した結果に基づいてリセットをトリガするための命令群をさらに備える請求項３３に記載の機械読取可能媒体。
【請求項３５】
前記トリガをさせる結果は、前記閾値とカウンタとが等しい場合、あるいは、前記カウンタが、前記閾値を越える場合である請求項３４に記載の機械読取可能媒体。
【請求項３６】
前記カウンタは、前記制御プロトコル・データ・ユニットおよび関連するプロトコル・データ・ユニットのために機能する請求項３４に記載の機械読取可能媒体。
【請求項３７】
前記カウンタは、制御プロトコル・データ・ユニット特有のカウンタである請求項３４に記載の機械読取可能媒体。
【請求項３８】
前記閾値を確立するための命令群をさらに備える請求項３４に記載の機械読取可能媒体。
【請求項３９】
前記リセットがトリガされると、前記カウンタを基準値にリセットするための命令群をさらに備える請求項３４に記載の機械読取可能媒体。
【請求項４０】
前記応答は、前記送信が転送されたモジュールからの応答を要求するための命令群をさらに備え、
前記応答は、前記送信が正しくなされたかを判定する際に使用される請求項３２に記載の機械読取可能媒体。
【請求項４１】
無線通信システムにおける装置であって、
制御プロトコル・データ・ユニットの送信を識別し、前記制御プロトコル・データ・ユニットの識別された送信に対して直接的に関連している場合、カウンタをインクリメントするように構成されたプロセッサを備える装置。
【請求項４２】
前記プロセッサはさらに、前記送信が正しくなされたかを判定するように構成された請求項４１に記載の装置。
【請求項４３】
前記プロセッサはさらに、インクリメント後の前記カウンタを、閾レベルと比較するようにさらに構成された請求項４２に記載の装置。
【請求項４４】
前記プロセッサはさらに、前記閾値を前記カウンタと比較した結果に基づいて、リセットをトリガするように構成された請求項４３に記載の装置。
【請求項４５】
前記トリガをさせる結果は、前記閾値とカウンタとが等しい場合、あるいは、前記カウンタが、前記閾値を越える場合である請求項４４に記載の装置。
【請求項４６】
前記カウンタは、前記制御プロトコル・データ・ユニットおよび関連するプロトコル・データ・ユニットのために機能する請求項４４に記載の装置。
【請求項４７】
前記カウンタは、制御プロトコル・データ・ユニット特有のカウンタである請求項４４に記載の装置。
【請求項４８】
前記プロセッサはさらに、前記閾値を確立するように構成された請求項４４に記載の装置。
【請求項４９】
前記プロセッサはさらに、前記リセットがトリガされると、前記カウンタを基準値へリセットするように構成された請求項４４に記載の装置。
【請求項５０】
前記プロセッサはさらに、前記送信が転送されたモジュールからの応答を要求するように構成され、前記応答は、前記送信が正しくなされたかを判定する際に使用される請求項４２に記載の装置。
【請求項５１】
正しくなされた制御プロトコル・データ・ユニット送信の追跡を容易にする方法であって、
制御プロトコル・データ・ユニットを認証することと、
前記制御プロトコル・データ・ユニットが正しく認証されると、前記制御プロトコル・データ・ユニットを送信するモジュール向けに、カウンタをリセットせよとの通知を生成することと
を備える方法。
【請求項５２】
前記通知を前記モジュールに転送することをさらに備える請求項５１に記載の方法。
【請求項５３】
前記制御プロトコル・データ・ユニットを収集することをさらに備える請求項５１に記載の方法。
【請求項５４】
前記収集された制御プロトコル・データ・ユニットから識別データを抽出することをさらに備え、
前記識別データは、前記モジュールに通知を転送する際に使用される請求項５３に記載の方法。
【請求項５５】
無線通信装置であって、
制御プロトコル・データ・ユニットを認証するコンファーマと、
前記制御プロトコル・データ・ユニットが正しく認証されると、前記制御プロトコル・データ・ユニットを送信するモジュール向けに、カウンタをリセットせよとの通知を生成するコンストラクタと
を備える装置。
【請求項５６】
前記モジュールに前記通知を転送するエミッタをさらに備える請求項５５に記載の方法。
【請求項５７】
前記制御プロトコル・データ・ユニットを収集するオブテイナをさらに備える請求項５５に記載の方法。
【請求項５８】
前記収集された制御プロトコル・データ・ユニットから識別データを抽出するプーラをさらに備え、
前記識別データは、前記通知を前記モジュールへ転送する際に使用される請求項５７に記載の方法。
【請求項５９】
無線通信装置であって、
制御プロトコル・データ・ユニットを認証する手段と、
前記制御プロトコル・データ・ユニットが正しく認証されると前記制御プロトコル・データ・ユニットを送信するモジュール向けに、カウンタをリセットせよとの通知を生成する手段と
を備える装置。
【請求項６０】
前記通知を前記モジュールへ転送する手段をさらに備える請求項５９に記載の装置。
【請求項６１】
前記制御プロトコル・データ・ユニットを収集する手段をさらに備える請求項５９に記載の装置。
【請求項６２】
前記収集された制御プロトコル・データ・ユニットから識別データを抽出する手段をさらに備え、
前記識別データは、前記通知を前記モジュールに転送する際に使用される請求項６１に記載の装置。
【請求項６３】
機械実行可能命令群を格納した機械読取可能媒体であって、
前記機械実行可能命令群は、
制御プロトコル・データ・ユニットを認証することと、
前記制御プロトコル・データ・ユニットが正しく認証されると、前記制御プロトコル・データ・ユニットを送信するモジュール向けに、カウンタをリセットせよとの通知を生成することと
を備える機械読取可能媒体。
【請求項６４】
前記通知を前記モジュールに転送するための命令群をさらに備える請求項６３に記載の機械読取可能媒体。
【請求項６５】
前記制御プロトコル・データ・ユニットを収集するための命令群をさらに備える請求項６３に記載の機械読取可能媒体。
【請求項６６】
前記収集された制御プロトコル・データ・ユニットから識別データを抽出するための命令群をさらに備え、
前記識別データは、前記通知を前記モジュールに転送する際に使用される請求項６５に記載の機械読取可能媒体。
【請求項６７】
無線通信システムにおける装置であって、
制御プロトコル・データ・ユニットを認証し、前記制御プロトコル・データ・ユニットが正しく認証されると、前記制御プロトコル・データ・ユニットを送信するモジュール向けに、カウンタをリセットせよとの通知を生成するように構成されたプロセッサを備えた装置。
【請求項６８】
前記プロセッサはさらに、前記通知を前記モジュールに転送するように構成された請求項６７に記載の装置。
【請求項６９】
前記プロセッサはさらに、前記制御プロトコル・データ・ユニットを収集するように構成された請求項６７に記載の装置。
【請求項７０】
前記プロセッサはさらに、前記収集された制御プロトコル・データ・ユニットから識別データを抽出するよう構成され、
前記識別データは、前記通知を前記モジュールに転送する際に使用される請求項６９に記載の装置。
【発明の詳細な説明】
【相互参照】
【０００１】
本願は、２００７年６月１３日に出願され"METHOD AND APPARATUS FOR POLLING IN A WIRELESS COMMUNICATION SYSTEM"と題された米国特許出願６０／９４３，６０６号の優先権を主張する。上記出願の全体は、本明細書において参照によって組み込まれる。
【技術分野】
【０００２】
以下の説明は、一般に、無線通信に関し、さらに詳しくは、プロトコル・データ・ユニットの送信に関する。
【背景技術】
【０００３】
無線通信システムは、例えば音声、データ等のような様々なタイプの通信コンテンツを提供するために広く開発された。一般的な無線通信システムは、（例えば、帯域幅、送信電力等のような）利用可能なシステム・リソースを共有することによって、複数のユーザとの通信をサポートすることが可能な多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含んでいる。
【０００４】
通常、無線多元接続通信システムは、複数のモバイル・デバイスのための通信を同時にサポートすることができる。おのおのの端末は、順方向リンクおよび逆方向リンクによる送信によって、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システムなどによって確立されうる。
【０００５】
ＭＩＭＯシステムは一般にデータ送信のために、複数（ＮＴ個）の送信アンテナと、複数（ＮＲ個）の受信アンテナとを利用する。ＮＴ個の送信アンテナおよびＮＲ個の受信アンテナによって形成されるＭＩＭＯチャネルは、空間チャネルと称されうるＮＳ個の独立したチャネルに分解される。ここでＮＳ≦｛ＮＴ，ＮＲ｝である。ＮＳ個の独立チャネルのおのおのは、ディメンションに相当する。さらに、複数の送信アンテナおよび複数の受信アンテナによって生成されたさらなるディメンションが利用されるのであれば、ＭＩＭＯシステムは、向上したパフォーマンス（例えば、高められた空間効率、より高いスループット、および／または、より高い信頼性）を与えることができる。
【０００６】
ＭＩＭＯシステムは、共通の物理媒体によって順方向リンク通信および逆方向リンク通信を分割するさまざまな二重化技術をサポートしうる。例えば、周波数分割デュプレクス（ＦＤＤ）システムは、順方向リンク通信および逆方向リンク通信のために、異なる周波数領域を利用しうる。さらに、時分割デュプレクス（ＴＤＤ）システムでは、順方向リンク通信および逆方向リンク通信が、共通の周波数領域を利用しうる。しかしながら、従来の技術は、チャネル情報に関し制限されたフィードバックしか与えないか、あるいはフィードバックを全く与えない。
【発明の概要】
【０００７】
以下は、１または複数の実施形態の基本的な理解を提供するために、そのような実施形態の簡略化された概要を示す。この概要は、考えられる全ての実施形態の広範な概観ではなく、これら全ての実施形態の重要要素や決定的要素を特定することでも、任意または全ての実施形態を線引きすることでもないことが意図される。その唯一の目的は、開示された態様の幾つかの概念を、後に示されるより詳細な説明の前置きとして簡単な形式で示すことである。
【０００８】
１または複数の実施形態およびその対応する開示にしたがって、さまざまな態様が、正しくなされた制御プロトコル・データ・ユニット送信を追跡する方法に関連して記述される。この方法は、制御プロトコル・データ・ユニットの送信を識別することを含みうる。
【０００９】
さらに、この方法は、制御プロトコル・データ・ユニットの識別された送信に対して直接的に関連している場合、カウンタをインクリメントすることを含みうる。
【００１０】
他の態様は、制御プロトコル・データ・ユニットの送信を識別するレコグナイザのみならず、識別された送信の、制御プロトコル・データ・ユニットの識別された送信に対して直接的に関連している場合、カウンタをインクリメントするアグリゲータとを備える無線通信装置に関する。
【００１１】
さらなる態様では、無線通信装置は、制御プロトコル・データ・ユニットの送信を識別する手段を備えうる。さらに、この装置は、制御プロトコル・データ・ユニットの識別された送信に対して直接的に関連している場合、カウンタをインクリメントする手段を備えうる。
【００１２】
さらに別の態様は、制御プロトコル・データ・ユニットの送信を識別するための機械実行可能な命令群を格納した機械読取可能媒体に関する。この媒体はまた、制御プロトコル・データ・ユニットの識別された送信に対して直接的に関連している場合、カウンタをインクリメントするための命令群をも有しうる。
【００１３】
また別の態様は、制御プロトコル・データ・ユニットの送信を識別するのみならず、制御プロトコル・データ・ユニットの識別された送信に対して直接的に関連している場合、カウンタをインクリメントするように構成されたプロセッサを含む無線通信システムにおける装置に関する。
【００１４】
態様は、制御プロトコル・データ・ユニットを認証することを含み、制御プロトコル・データ・ユニットの正しくなされた送信を追跡することを容易にする方法である。この方法はさらに、制御プロトコル・データ・ユニットが正しく認証されると、制御プロトコル・データ・ユニットを送信するモジュール向けに、カウンタをリセットせよとの通知を生成することを含みうる。
【００１５】
別の態様は、制御プロトコル・データ・ユニットを認証するコンファーマを備える無線通信装置に関する。この装置はさらに、制御プロトコル・データ・ユニットが正しく認証されると、制御プロトコル・データ・ユニットを送信するモジュール向けに、カウンタをリセットせよとの通知を生成するコンストラクタを備えうる。
【００１６】
また別の態様は、制御プロトコル・データ・ユニットを認証する手段のみならず、制御プロトコル・データ・ユニットが正しく認証されると、制御プロトコル・データ・ユニットを送信するモジュール向けに、カウンタをリセットせよとの通知を生成する手段を備える無線通信装置に関する。
【００１７】
また別の態様は、制御プロトコル・データ・ユニットを認証するための機械実行可能な命令群を格納した機械読取可能媒体に関する。媒体に格納された制御プロトコル・データ・ユニットが正しく認証されると、制御プロトコル・データ・ユニットを送信するモジュール向けに、カウンタをリセットせよとの通知を生成するための命令群も存在しうる。
【００１８】
さらなる態様は、制御プロトコル・データ・ユニットを認証するように構成されたプロセッサを備える装置や、無線通信システムである。このプロセッサはさらに、制御プロトコル・データ・ユニットが正しく認証されると、制御プロトコル・データ・ユニットを送信するモジュール向けに、カウンタをリセットせよとの通知を生成するように構成されうる。
【００１９】
前述した目的および関連する目的を達成するために、１または複数の実施形態は、後に十分に記載され特に請求項において指摘される特徴を備えている。以下の記載および添付図面は、１または複数の実施形態のある例示的な態様を詳細に述べている。しかしながら、これらの態様は、さまざまな実施形態の原理が適応されるさまざまな方式のうちの極一部しか示しておらず、記述された実施形態は、そのような全ての態様およびそれらの等化物を含むことが意図されている。
【図面の簡単な説明】
【００２０】
【図１】図１は、本明細書に記述されたさまざまな態様にしたがう無線通信システムの実例である。
【図２】図２は、本明細書に記述されたさまざまな態様にしたがうプロトコル・データ・ユニットの通信のための代表的なシステムの実例である。
【図３】図３は、本明細書に記述されたさまざまな態様にしたがう詳細な送信機の例を用いたプロトコル・データ・ユニットの通信のための代表的なシステムの実例である。
【図４】図４は、本明細書に記述されたさまざまな態様にしたがう詳細な送信機の例を用いたプロトコル・データ・ユニットの通信のための代表的なシステムの実例である。
【図５】図５は、本明細書に記述されたさまざまな態様にしたがう詳細な受信機の例を用いたプロトコル・データ・ユニットの通信のための代表的なシステムの実例である。
【図６】図６は、本明細書に記述されたさまざまな態様にしたがう一般的なカウンタを備えた代表的な通信構成の実例である。
【図７】図７は、本明細書に記述されたさまざまな態様にしたがう個別のカウンタを備えた代表的な通信構成の実例である。
【図８】図８は、本明細書に記述されたさまざまな態様にしたがってプロトコル・データ・ユニットを送信する代表的な方法論の実例である。
【図９】図９は、本明細書に記述されたさまざまな態様にしたがってプロトコル・データ・ユニットを受信する代表的な方法論の実例である。
【図１０】図１０は、本明細書に記述されたさまざまな態様にしたがってプロトコル・データ・ユニットの通信を規制することを容易にするモバイル・デバイスの実例である。
【図１１】図１１は、本明細書に記述されたさまざまな態様にしたがってプロトコル・データ・ユニットの受信を規制することを容易にするシステムの実例である。
【図１２】図１２は、本明細書に記載されたさまざまなシステムおよび方法と共に使用することができる無線ネットワーク環境の実例である。
【図１３】図１３は、本明細書に記述されたさまざまな態様にしたがうプロトコル・データ・ユニットの送信について少なくとも１つの動作をカウントすることを容易にするシステムの実例である。
【図１４】図１４は、本明細書に記述されたさまざまな態様にしたがってプロトコル・データ・ユニット送信の受信に関する処理を容易にするシステムの実例である。
【発明を実施するための形態】
【００２１】
さまざまな実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするためにブロック図形式で示されている。
【００２２】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２３】
さらに、本明細書ではさまざまな実施形態が、モバイル・デバイスに関連して記載される。モバイル・デバイスは、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、モバイル・デバイスと通信するために利用され、アクセス・ポイント、ノードＢ、またはその他幾つかの専門用語でも称されうる。
【００２４】
さらに、本明細書に記載のさまざまな局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述されたさまざまな記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他さまざまな媒体を含みうる。
【００２５】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、おのおののグループについて、それよりも多いあるいはそれよりも少ないアンテナも適用されうる。基地局１０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのセットは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。
【００２８】
図２に示すように、プロトコル・データ・ユニット（ＰＤＵ）を通信するためのシステム２００の例が開示されている。従来の動作では、デバイス間でＰＤＵが送信され、受信が正しくなされると、受信デバイスが応答する。しかしながら、ＰＤＵが正しく送信されない場合がありうる。この場合、送信機２０２は、ＰＤＵの再送信を試みるか、あるいは、送信機２０２のリソースを僅かしか使用していない場合にステータス・チェックを実行するように動作する制御ＰＤＵの送信を試みる。ＰＤＵおよび／または制御ＰＤＵが何回送信されたかを判定するためにカウンタが使用されうる。カウンタが、設定された閾値に達すると、通信が正しく行われていないと推論され、リセット手順が実行されうる。
【００２９】
送信機２０２は、ＰＤＵおよび／または制御ＰＤＵ（例えば、ラジオ・リンク・プロトコル・アクノレッジ・モード・ステータス・チェック）を、受信機２０４へ出力しうる。１つの実施形態によれば、送信機２０２は、制御ＰＤＵを送信することのみならず、ＰＤＵおよびポール（例えば、受信ユニットが応答するように要求すること）を送信しうる。レコグナイザ２０６は、制御ＰＤＵの送信を識別するように機能しうる。アグリゲータ２０８は、制御プロトコル・データ・ユニットの識別された送信に対して直接的に関連している場合、カウンタをインクリメントしうる。例えば、制御ＰＤＵの送信が生じるごとに、カウンタは、１ずつインクリメントされる。最終的に、カウンタは、閾値を越え、リセットされうる。
【００３０】
受信機２０４は、送信機２０２から転送されたＰＤＵおよび／または制御ＰＤＵを収集しうる。コンファーマ２１０は、制御ＰＤＵを認証しうる。一般に、認証は、受信したデータが制御ＰＤＵであることを識別すること、送信が正確であるか等を判定することを含みうる。コンストラクタ２１２は、制御ＰＤＵが正しく認証されると、制御ＰＤＵを送信するモジュール（例えば、送信機２０２）向けに、カウンタをリセットせよとの通知を生成しうる。送信機２０２がこの通知を受信すると、カウンタは、一般にゼロである基準値へリセットされうる。１つの実施によれば、送信機２０２は、図１の基地局１０２の一部であり、受信機２０４は、図１のモバイル・デバイス１２２の一部である。
【００３１】
図３に示すように、送信機２０２と受信機２０４との間での制御ＰＤＵの通信のためのシステム３００の一例が開示される。送信機２０２は、ＰＤＵおよび／または制御ＰＤＵの通信を容易にしうる。レコグナイザ２０６は、送信が生じたことを識別しうる。アグリゲータ２０８によるＰＤＵ／制御ＰＤＵを求める転送の試みに関し、カウンタがインクリメントされうる。一般に、カウンタは、転送の試み毎に１ずつインクリメントされる。受信機２０４は、転送を収集し、コンファーマ２１０を用いて適切な認証を行なうことができる。送信機２０２には、受信機２０４から通知が返信される。そして、カウンタは、ゼロに戻される。
【００３２】
しかしながら、受信機２０４が転送を収集しないこと、および／または、受信機２０４が、要求に応答するのが困難であることがありえる。したがって、送信機２０４は、通信が正しく行われていないと宣言する前に、何度も情報を再送信することを試みる。システム３００からＰＤＵが送信されると、コミュニケータ３０２は、（例えば、一般的に、制御ＰＤＵのような）ＰＤＵが正しく受信されたということを受信機２０４が応答せよとの要求を転送する。定められた時間後、適切な形式等で応答が収集されない場合、反復要求が転送される。コミュニケータ３０２は、送信が転送されるモジュール（例えば、受信機２０４）からの応答を要求するように機能しうる。この応答は、送信が成功したかの判定を行う際に使用される。
【００３３】
エバリュエータ（evaluator）３０４は、送信が成功したかを判定するために使用されうる。１つの実施形態によれば、エバリュエータは、コミュニケータ３０４によって収集された応答を受信し処理することができる。しかしながら、より複雑な実施形態は、例えば、部分的な応答を解釈するように実行されうる。さらに、エバリュエータは複数の通信を処理することができ、複数のＰＤＵが、別々の受信機に転送することができ、エバリュエータ３０４は、どの通信が正しく行われ、どの通信が正しく行われていないかを判定する。このシステム３００は、送信が正しく行われなかったと判定されるまで、アグリゲータ２０８がカウンタをインクリメントしないように実施することができる。
【００３４】
コントローラ３０６は、正しく送信がなされたと判定されると、カウンタを、例えばゼロのような基準値にリセットするように動作しうる。システム３００によって、異なる送信のために別々のカウンタが存在する場合、複数のカウンタが保持されうる。エバリュエータ３０４は、異なるカウンタを管理し、受信した応答がどのカウンタに当てはまるかを判定することができる。どのカウンタをリセットすべきかについての命令が、エバリュエータ３０４から、コントローラ３０６へ転送されうる。
【００３５】
図４に示すように、送信機２０２と受信機２０４との間の制御ＰＤＵの通信に関するシステム４００の例が開示される。一般に、制御ＰＤＵは、数バイトのサイズであるので、システム４００のリソースを僅かしか使用せず、高速通信が可能となる。その後、アグリゲータ２０８によるＰＤＵ／制御ＰＤＵの転送を試みに関して、カウンタがインクリメントされうる。一般に、カウンタは、転送が試みられる毎に１ずつインクリメントされる。例えば、送信機２０２は、まず、ＰＤＵを送信し、応答が転送されない場合、通信に問題があるかを判定することを支援するために、制御ＰＤＵが送信される。受信機２０４は、ＰＤＵおよび／または制御ＰＤＵを収集し、コンファーマ２１０を用いて適切な認証を行なうことができる。受信機２０４から送信機２０２へと通知が返信され、カウンタがゼロに戻される。
【００３６】
一般に、システム４００は、ＰＤＵ／制御ＰＤＵを限られた回数再送信することを試みるように命令されうる。制限がない場合、送信およびカウンタのインクリメントを無制限に続けられうる。したがって、計算機４０２は、送信試みが何度生じるかに関する閾値を決定しうる。
【００３７】
バランサ４０４は、インクリメントされた後のカウンタの値を、閾値と比較しうる。閾値を満たさない（例えば、閾値と等しい、閾値よりも大きい等）場合、一般に、別の制御ＰＤＵの送信である別の送信が生じうる。バランサ４０４はまた、例えばカウンタのインクリメントが不適切に生じた（例えば、カウンタが、１つの送信で不注意に２つインクリメントされた）かをチェックするベリフィケーションを実行するようにも動作しうる。
【００３８】
この比較から、正しくなされた送信がないと判定された場合（例えば、カウンタが、閾値を越えている場合）、この比較の結果に基づいて、セッタ（setter）４０６が、ラジオ・リンク・プロトコル・リセットをトリガしうる。１つの実施形態によれば、セッタ４０６をトリガさせる結果は、閾値とカウンタとが等しい場合であるか、あるいは、カウンタが、閾値を越える場合である。さらに、カウンタは、異なる実装でも動作しうる。例えば、カウンタは、ＰＤＵ、制御ＰＤＵのようなＰＤＵ送信に対処することができる。しかしながら、ＰＤＵ送信および制御ＰＤＵ送信のために個別のカウンタが保持されうるので、制御プロトコル・データ・ユニット特有のカウンタが存在しうる。さらに、送信機２０２は、リセットがトリガされると、図３のコントローラ３０６を用いてカウンタをリセットする。
【００３９】
図５に示すように、取得されたＰＤＵおよび／または、ＰＤＵの特定のタイプであると考えられる制御ＰＤＵを処理するシステム５００の例が開示される。送信機２０２は、一般に無線通信によって、ＰＤＵの形態で受信機２０４へ転送することを試みる。ＰＤＵの転送がなされると、レコグナイザ２０６が転送を識別し、それにしたがって、アグリゲータ２０８がカウンタをインクリメントする。
【００４０】
受信機２０４は、送信機２０２から送信されたＰＤＵを収集するためにオブテイナ（obtainer）４０２を使用することができる。ＰＤＵが何度も受信機に送られ、オブテイナ５０２がローカル・ストレージ内にＰＤＵを保持する。さらに、オブテイナ５０２は、悪意のあるコンテンツをブロックするためにＰＤＵをスキャンすることができる。プーラ（puller）２１２によってＰＤＵから識別情報が抽出されうる。識別情報の例は、制御ＰＤＵ等が関連する送信機２０２のインターネット・プロトコル・アドレスを含むことができる。
【００４１】
コンファーマ２１０は、収集されたＰＤＵを認証することができる。ＰＤＵが正しくない受信機へ転送されても、コンファーマ２１０が、この種の誤りを判定しないことがありうる。もしも誤りが識別されれば、コンファーマ２１０は、送信機２０２へ誤り通知を送り、意図した宛先へＰＤＵを転送すること等を行うことができる。コンストラクタ２１２は、通知を受信すると適切なカウンタをリセットするような、送信機２０２向けの通知を準備しうる。この通知は、エミッタ５０６によって送信機２０４に返信されうる。
【００４２】
図６に示すように、ＰＤＵおよび制御ＰＤＵのための共通のカウンタ６０２を用いた送信機２０２と受信機２０４との間の通信のシーケンスを示す構成６００の例が開示されている。ＰＤＵが受信機２０４に送信されると、カウンタ６０２がインクリメントされ、ＰＤＵ送信が試みられていることが示される。指定された遅延の後、応答を受信しないと、送信機２０２は、別のＰＤＵ送信を送ることを試みうる。
【００４３】
構成６００で示されるように、最初に送信されたＰＤＵのうちの少なくともいくつかの情報を含む制御ＰＤＵが転送される。その後、カウンタ６０２は、値「２」でインクリメントされる。これは、最初のＰＤＵの送信と、制御ＰＤＵの送信の値を表す。その他さまざまな実施形態が、ＰＤＵ転送に関して実現されうる。例えば、ＰＤＵが転送された場合の１つのカウンタと、制御ＰＤＵが転送された場合の別のカウンタのような２つの個別のカウンタが実装されうる。
【００４４】
送信機２０２は、ＰＤＵおよび／または制御ＰＤＵを受信機に通信することを何度か試みる。開示された構成６００は、制御ＰＤＵを通信するための３回の試みを強調しているが、その他の回数の試みもなされうることが認識されるべきである。さらに、試みが何回なされるべきかを決定する（例えば、閾値を決定する）ために、人工知能技術が使用されうる。適切な回数の試みがなされると、カウンタはゼロにリセットされ、送信機２０２と受信機２０４との間のリンクが壊れたと考えられ、リセットされる。受信機２０４が、制御ＰＤＵに対するコンファメーションを返信する場合、送信機２０２は、カウンタ６０２をゼロに戻し、最初のＰＤＵを再送信することを試みる。
【００４５】
人工知能技術は、本明細書に記述されたさまざまな自動化された態様を実現することにしたがって、データから学習すること、および、複数のストレージ・ユニットにわたって情報を動的に格納することに関する推論および／または判定を行うことのための多くの方法論（例えば、Ｈｉｄｄｅｎ  Ｍａｒｋｏｖ  Ｍｏｄｅｌ（ＨＭＭ）および関連する原型依存モデル、例えばＢａｙｅｓｉａｎモデル・スコアまたは近似を用いた構造探索によって生成されたＢａｙｅｓｉａｎネットワークのようなより一般的な確率論的グラフィック・モデル、例えばサポート・ベクトル・マシン（ＳＶＭ）のような線形クラシファイヤ、例えば「ニューラル・ネット」方法やファジー論理方法と称される方法のような非線形クラシファイヤ、およびデータ融合を実行するその他のアプローチ等）のうちの１つを適用することができる。さらに、これらの技術はまた、例えば定理試験器（theorem prover）またはよりヒューリスティックな規則に基づいたエキスパート・システムのような、論理関係を取得する方法をも含みうる。
【００４６】
図７に示すように、複数のカウンタを備えた送信機２０２と受信機２０４との間の通信シーケンスを示す構成７００の例が開示されている。ＰＤＵカウンタ７０２は、ＰＤＵが送信された回数を追跡することができる。例えば、まずＰＤＵが送信されると、ＰＤＵカウンタ７０２は１ずつインクリメントされうる。正しく送信されたとの応答が受信機２０４から得られない場合、送信機２０２は制御ＰＤＵを送信しうる。制御ＰＤＵが転送されると、ＰＤＵカウンタ７０２およびＣＰＤＵカウンタ７０４が異なるカウントを保持できるように、独立したＣＰＤＵカウンタ７０４（例えば、制御ＰＤＵカウンタ）がインクリメントされうる。制御ＰＤＵの送信が複数回試みられ、おのおのの送信において、ＣＰＤＵカウンタがインクリメントされうる。制御ＰＤＵのみならず、ＰＤＵの送信についても複数の試みが実施されうることが認識されるべきである。リンクが壊れていると考えられる場合、あるいは、異なるシーケンス番号のＰＤＵが送信された場合などにおいては、ＰＤＵカウンタ７０２および／またはＣＰＤＵカウンタ７０４がリセットされうる（例えば、ゼロにリセットされたり、新たなＰＤＵが転送された場合にＰＤＵカウンタ７０２が１にリセットされたり、ＣＰＤＵカウンタ７０４がゼロにリセットされたりなどがなされる）。
【００４７】
図８および図９には、ＰＤＵおよび／または制御ＰＤＵの通信に関する方法論が示される。説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の態様にしたがって方法論を実現するために必ずしも例示された全ての動作が必要とされる訳ではない。
【００４８】
図８に示すように、ＰＤＵおよび／または制御ＰＵＤをデバイスに通信すること、および、この通信が正しくなされたかを判定することのための方法論８００の例が開示される。送信を追跡するためにカウンタが利用され、閾値に達した後、リセット手順がなされるべきであると判定されうる。イベント８０２において閾値が確立されうる。これは、履歴動作の観察、ユーザまたは他のエンティティによる提案、人工知能技術等によって実行されうる。アクション８０４では、制御ＰＤＵの送信の識別がなされうる。
【００４９】
ブロック８０６は、制御ＰＤＵの識別された送信に対して直接的に関連している場合、カウンタをインクリメントすることを表しうる。一般的には、カウンタに追加するように実行されるが、カウンタをインクリメントすることは、正しくなされた送信が識別されると、カウンタをゼロにリセットすること（例えば、カウンタの現在の値に等しい絶対値を有する負の数でカウンタをインクリメントすること）を含むことが認識されるべきである。ＰＤＵおよび制御ＰＤＵ送信のために１つのカウンタが存在するのみならず、ＰＤＵおよび制御ＰＤＵ送信のために個別のカウンタも存在しうる。
【００５０】
アクション８０８では、送信が転送されたモジュールからの応答が要求されうる。この応答は、送信が正しくなされたかを判定する際に使用されうる。送信が正しくなされたか（例えば、意図された受信ユニットが送信を収集したか）を判定するチェック８１０がなされうる。チェック８１０は、この要求からの応答を受信することと、受信した応答を評価することとを含みうる。この評価の結果（例えば、正しく送信されたとこの応答によって示されていれば）は、正しく送信されたかを判定するために使用されうる。送信が正しくなされていれば、アクション８１２において、カウンタがリセットされうる。
【００５１】
送信が正しくなされていない場合、イベント８１４において、インクリメント後のカウンタと比較される。一般的には、この比較の結果（例えば、カウンタが閾値よりも大きい場合、カウンタが閾値に等しい場合等）に応じて、リセットがなされるかを判定するためのチェック８１６がなされうる。リセットがなされるべきではない場合、アクション８２０において、情報が再転送されうる。しかしながら、リセットがなされるべきである場合、アクション８１８において、適切なリセットがなされる。これは、リセットせよとのトリガがなされると、カウンタを基準値にリセットするイベント８１２を含みうる。
【００５２】
図９に示すように、収集されたＰＤＵおよび／または制御ＰＤＵを処理するための方法論９００の例が開示される。アクション９０２では、制御プロトコル・データ・ユニットが収集される。これは一般的に、応答要求を伴っているので、送信機は、送信が正しくなされたことを認識しうる。アクション９０４では、収集された制御ＰＤＵから、識別データが抽出されうる。識別データは、制御ＰＤＵを送信するモジュールへ通知を転送するために使用されうる。
【００５３】
アクション９０６では、例えば、受信したＰＤＵが正しい場所にあることを保証するために、収集されたＰＤＵが評価され認証される。ブロック９０８では、制御ＰＵＤが正しく認証されると、制御ＰＤＵを送信するモジュール向けに、カウンタをリセットせよとの通知を生成しうる。アクション９１０では、この通知がモジュールへ転送されうる。
【００５４】
本明細書に記述された１または複数の態様によれば、ＰＤＵ送信の追跡、制御ＰＤＵ送信の追跡等に関する推論がなされうることが認識されるだろう。本明細書で使用されるように、「推論する」または「推論」なる用語は一般に、イベントおよび／またはデータによって取得されたような観察のセットから、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００５５】
例によれば、上述した１または複数の方法は、ＰＤＵおよび／または制御ＰＤＵの通信に関する推論を行うことを含みうる。さらなる例示によれば、推論は、意図されたアプリケーション、所望の節電等に基づくウェイク・アップ期間パラメータとして、物理フレーム数を選択することに関してなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００５６】
図１０は、ＰＤＵの通信を容易にするモバイル・デバイス１０００の実例である。モバイル・デバイス１０００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機１００２を備える。受信機１００２は、例えばＭＭＳＥ受信機であり、受信したサンプルを復調し、それらをチャネル推定のためにプロセッサ１００６へ送る復調器１００４を備えうる。プロセッサ１００６は、受信機１００２によって受信された情報を分析し、および／または、送信機１０１６による送信のための情報を生成することに特化されたプロセッサ、モバイル・デバイス１０００の１または複数の構成要素を制御するプロセッサ、および／または、受信機１００２によって受信された情報を分析することと、送信機１０１６による送信のための情報を生成することと、モバイル・デバイス１０００のうちの１または複数の構成要素を制御することとを全て行うプロセッサでありうる。送信機１０１６および受信機１００２は、図２の送信機２０２および図２の受信機２０４にマッチしうるが、個別の異なるエンティティとなりうることも認識されるべきである。
【００５７】
モバイル・デバイス１０００はさらに、プロセッサ１００６と動作可能に接続されており、送信されるデータ、受信したデータ、利用可能なチャネルに関する情報、分析された信号および／または干渉強度に関するデータ、割り当てられたチャネルに関する情報、電力、レート等、および、チャネルの推定およびチャネルを介した通信のためのその他任意の適切な情報を格納しうるメモリ１００８を備えうる。メモリ１００８はさらに、（例えば、パフォーマンス・レベル、キャパシティ・レベル等の）チャネルの推定および／または利用に関するアルゴリズムおよび／またはプロトコルを格納しうる。
【００５８】
本明細書に記載のデータ・ストア（例えば、メモリ１００８）は、揮発性メモリまたは不揮発性メモリの何れかであるか、あるいは、揮発性メモリと不揮発性メモリとの両方を含みうることが認識されるだろう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題システムおよび方法のメモリ１００８は、限定されるのではなく、これらおよびその他任意の適切なタイプのメモリを備えることが意図される。
【００５９】
プロセッサ１００２はさらに、レコグナイザ１０１０および／またはアグリゲータ１０１２に動作可能に接続されている。ＰＤＵ要求が図１の基地局１０２から転送され、モバイル・デバイスは、送信機１０１６からＰＤＵを出力しうる。レコグナイザ１０１０は、この送信を識別し、カウンタがインクリメントされるべきことをアグリゲータ１０１２に通知する。アグリゲータ１０１２は、それにしたがってインクリメントしうる。モバイル・デバイス１０００はさらに、変調器１０１４と、（例えば、ベースＣＱＩおよび差分ＣＱＩのような）信号を例えば基地局や他のモバイル・デバイス等に送信する送信機１０１６とを備えうる。プロセッサ１００６と別に示されているが、レコグナイザ１０１０および／またはアグリゲータ１０１２は、プロセッサ１００６または多くのプロセッサ（図示せず）の一部でありうることが認識されるべきである。
【００６０】
図１１は、ＰＤＵの通信を容易にするシステム１１００の実例である。システム１１００は、複数の受信アンテナ１１０６を介して１または複数のモバイル・デバイスから信号を受信する受信機１１１０と、複数の送信アンテナ１１０８を介して１または複数のモバイル・デバイス１１０４へ送信する送信機１１２２とを備えた基地局１１０２（例えば、アクセス・ポイント等）を備えうる。受信機１１１０は、受信アンテナ１１０６から情報を受信し、例えばＰＤＵおよび／または制御ＰＤＵを含みうる受信情報を復調する復調器１１１２と動作可能に関連付けられている。復調されたシンボルは、図１０に関連して上述され、メモリ１１１６に接続されたプロセッサに類似したプロセッサ１１１４によって分析される。メモリ１１１６は、信号（例えば、パイロット）強度および／または干渉強度を推定することに関連する情報と、送信されるべきデータまたはモバイル・デバイス１１０４（または、個別の基地局（図示せず））から受信されたデータと、および／または、本明細書に記載されたさまざまな動作および機能を実行することに関連するその他任意の適切な情報とを格納する。
【００６１】
プロセッサ１１１４はさらに、コンファーマ１１１８および／またはコンストラクタ１１２０に接続されている。コンファーマ１１１８は、受信したＰＤＵを認証し、コンストラクタ１１２０は、通信が正しく送信された送信ユニット向けに、通知を作成しうる。プロセッサ１１１４とは別に示されているが、コンファーマ１１１８および／またはコンストラクタ１１２０は、プロセッサ１１１４または多くのプロセッサ（図示せず）の一部でありうることが認識されるべきである。
【００６２】
図１２は、無線通信システム１２００の一例を示す。無線通信システム１２００は、簡潔さの目的で、１つの基地局１２１０および１つのモバイル・デバイス１２５０を示す。しかしながら、システム１２００は、１より多い基地局、および／または、１より多いモバイル・デバイス末を含むことができ、これら追加の基地局および／またはモバイル・デバイスは、以下に説明する基地局１２１０およびモバイル・デバイス１２５０の例と実質的と同じものでも、別のものでもありうることが認識されるべきである。さらに、基地局１２１０および／またはモバイル・デバイス１２５０は、その間の無線通信を容易にするために、本明細書に記述されたシステム（図１乃至図７、図１０乃至図１１）および／または方法（図８乃至図９）を適用しうることが認識されるべきである。
【００６３】
基地局１２１０では、多くのデータ・ストリームのためのトラフィック・データが、データ・ソース１２１２から送信（ＴＸ）データ・プロセッサ１２１４へ提供される。一例によれば、おのおののデータ・ストリームは、それぞれのアンテナを介して送信される。ＴＸデータ・プロセッサ１２１４は、トラフィック・データ・ストリームをフォーマットし、そのデータ・ストリームのために選択された特定の符合化スキームに基づいて符号化し、インタリーブして、符合化されたデータを提供する。
【００６４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末１２５０において使用されうる。おのおののデータ・ストリームに関する多重化されたパイロットおよび符合化されたデータは、そのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１２３０によって実行または提供される命令によって決定されうる。
【００６５】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１２２０はその後、ＮＴ個の変調シンボル・ストリームを、ＮＴ個の送信機（ＴＭＴＲ）１２２２ａ乃至１２２２ｔへ提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００６６】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号が、ＮＴ個のアンテナ１２２４ａ乃至１２２４ｔそれぞれから送信される。
【００６７】
アクセス端末１２５０では、送信された変調信号がＮＲ個のアンテナ１２５２ａ乃至１２５２ｒによって受信され、おのおののアンテナ１４５２からの受信信号が、それぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６８】
ＲＸデータ・プロセッサ１２６０は、ＮＲ個の受信機１２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１２６０は、検出されたおのおののシンボル・ストリームを復調し、デインタリーブし、復号して、そのデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００６９】
プロセッサ１２７０は、上述したように、どの事前符合化行列を使用するのかを定期的に決定する。さらに、プロセッサ１２７０は、行列インデクス部およびランク値部とを備えた逆方向リンク・メッセージを規定することができる。
【００７０】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１２３６から受信するＴＸデータ・プロセッサ１２３８によって処理され、変調器１２８０によって変調され、送信機１２５４ａ乃至１２５４ｒによって調整され、基地局１２１０へ送り戻される。
【００７１】
基地局１２１０では、モバイル・デバイス１２５０からの変調信号が、アンテナ１２２４によって受信され、受信機１２２２によって調整され、復調器１２４０によって復調され、ＲＸデータ・プロセッサ１２４２によって処理されて、モバイル・デバイス１２５０によって送信された逆方向リンク・メッセージを抽出する。さらに、プロセッサ１２３０は、ビームフォーミング重みを決定するためにどの事前符合化行列を使用するかを決定するために、この抽出されたメッセージを処理する。
【００７２】
プロセッサ１２３０およびプロセッサ１２７０は、基地局１２１０およびアクセス端末１２５０それぞれにおける動作を指示（例えば、制御、調整、管理等）する。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００７３】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７４】
これら実施形態が、ソフトウェア、ファームウェア、ミドルウェアあるいはマイクロコード、プログラム・コードあるいはコード・セグメントで実現される場合、これらは、例えばメモリ素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７５】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７６】
図１３を参照して、ＰＤＵの転送と、この転送が正しくなされたかの判定とを有効にするシステム１３００が例示されている。例えば、システム１３００は、少なくとも部分的にモバイル・デバイスの内部に存在しうる。システム１３００は、プロセッサ、ソフトウェア、または（例えば、ファームウェアのような）これらの組み合わせによって実現される機能を表す機能ブロックを含むものとして表されることが認識されるべきである。システム１３００は、連携して動作しうる電子構成要素の論理グループ１３０２を含む。例えば、論理グループ１３０２は、制御プロトコル・データ・ユニットの送信を識別する電子構成要素１３０４を含みうる。さらに、論理グループ１３０２は、制御プロトコル・データ・ユニットの識別された送信に対して直接的に関連している場合、カウンタをインクリメントする電子構成要素１３０６を含みうる。
【００７７】
論理グループ１３０２はまた、送信が正しくなされたかを判定する電子構成要素、インクリメント後のカウンタを、閾値レベルと比較する電子構成要素、カウンタに対する閾値の比較の結果に基づいて、リセットをトリガする電子構成要素、閾値を確立する電子構成要素、リセットがトリガされると、カウンタを基準値にリセットする電子構成要素、および／または、送信が転送されたモジュールからの応答を要求する電子構成要素をも含みうる。この応答は、送信が正しくなされたかを判定するために使用される。これらの構成要素は、制御プロトコル・データ・ユニットの送信を識別する電子構成要素１３０４と、および／または、制御プロトコル・データ・ユニットの識別された送信に対して直接的に関連している場合、カウンタをインクリメントする電子構成要素１３０６との一部であるか、独立したエンティティであるか等でありうる。さらに、システム１３００は、電子構成要素１３０４、１３０６に関連付けられた機能を実行するための命令群を保持するメモリ１３０８を含みうる。メモリ１３０８の外部にあると示されているが、電子構成要素１３０４、１３０６のうちの１または複数は、メモリ１３０８内にも存在しうることが理解されるべきである。
【００７８】
図１４に移って、ＰＤＵの処理を有効にし、転送が正しくなされたかに関する少なくとも１つの動作を実行するシステム１４００が例示される。例えば、システム１４００は、少なくとも部分的にモバイル・デバイスの内部に存在しうる。システム１４００は、プロセッサ、ソフトウェア、あるいは（例えば、ファームウェアのような）これらの組み合わせによって実行される機能を表す機能ブロックでありうる機能ブロックを含むものとして表されることが認識されるべきである。システム１４００は、連携して動作しうる電子構成要素の論理グループ１４０２を含む。例えば、論理グループ１４０２は、制御プロトコル・データ・ユニットを認証する電子構成要素１４０４を含みうる。さらに、論理グループ１４０２は、制御プロトコル・データ・ユニットが正しく認証されると、制御プロトコル・データ・ユニットを送信するモジュール向けに、カウンタをリセットせよとの通知を生成する電子構成要素１４０６を含みうる。
【００７９】
論理グループ１４０２はまた、この通知をモジュールへ転送する電子構成要素、制御プロトコル・データ・ユニットを収集する電子構成要素、および／または、収集された制御プロトコル・データから、識別データを抽出する電子構成要素をも含みうる。この識別データは、通知をモジュールへ転送する際に使用される。これらの構成要素は、制御プロトコル・データ・ユニットを認証する電子構成要素１４０４と、および／または、制御プロトコル・データ・ユニットが正しく認証されると、制御プロトコル・データ・ユニットを送信するモジュール向けに、カウンタをリセットせよとの通知を生成する電子構成要素１４０６との一部であるか、独立したエンティティであるか等でありうる。メモリ１４０８の外側にあると示されているが、電子構成要素１４０４、１４０６は、メモリ１４１０内に存在しうることが理解されるべきである。
【００８０】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010530189.tif 000003
【図２】
2010530189.tif 000004
【図３】
2010530189.tif 000005
【図４】
2010530189.tif 000006
【図５】
2010530189.tif 000007
【図６】
2010530189.tif 000008
【図７】
2010530189.tif 000009
【図８】
2010530189.tif 000010
【図９】
2010530189.tif 000011
【図１０】
2010530189.tif 000012
【図１１】
2010530189.tif 000013
【図１２】
2010530189.tif 000014
【図１３】
2010530189.tif 000015
【図１４】
2010530189.tif 000016
【国際調査報告】
2010530189.tif 000017
2010530189.tif 000018
2010530189.tif 000019
2010530189.tif 000020
2010530189.tif 000021